(57)【要約】【課題】指示部への光導入効率を向上させることができ、明るく照明ムラの小さい指針照明装置を提供する。【解決手段】透光性の指示部材（指示部）７２と光導入部材（光導入部）７３とを有し駆動装置２の駆動軸１によって軸回り作動する指針７と、駆動軸１の周囲に配置され光導入部材７３を通じて指示部材７２を発光させる光源Ｌとを備えており、光導入部材７３は光源Ｌからの光を受光する受光面７３ａと、この受光面７３ａから導入された光を駆動軸１の回転軸線Ｖａ位置に向けて集光させる第１の反射面７３ｂと、この第１の反射面７３ｂと回転軸線との間に形成され第１の反射面７３ｂからの光を回転軸線Ｖａに沿う方向に反射する第２の反射面７３ｃと、この第２の反射面７３ｃに対向するよう回転軸線Ｖａ上に形成され第２の反射面７３ｃからの光を指示部材７２の長手方向に反射する第３の反射面７３ｄとを有する。【選択図】  図１
2004294344.tif 000002
【特許請求の範囲】
【請求項１】
透光性の指示部と光導入部とを有し駆動装置の駆動軸によって軸回り作動する指針と、
前記駆動軸の周囲に配置され前記光導入部を通じて前記指示部を発光させる光源とを備え、
前記光導入部は前記光源からの光を受光する受光面と、この受光面から導入された光を前記駆動軸の回転軸線位置に向けて集光させる第１の反射面と、この第１の反射面と前記駆動軸との間に形成され前記第１の反射面からの光を前記回転軸線に沿う方向に反射する第２の反射面と、この第２の反射面に対向するよう前記回転軸線上に形成され前記第２の反射面からの光を前記指示部の長手方向に反射する第３の反射面とを有することを特徴とする指針照明装置。
【請求項２】
前記受光面は前記回転軸線を取り巻く環状に形成され、
前記第１の反射面と前記第２の反射面が前記回転軸線を取り巻く円錐形状または多面形状に形成されることを特徴とする指針照明装置。
【請求項３】
前記光導入部が前記回転軸線を基準として線対称となる断面逆Ｖ字形の箇所を有し、この箇所の外壁面に前記第１の反射面が形成されると共にその内壁面に前記第２の反射面が形成され、これら第１，第２の反射面の前方側に前記第３の反射面が位置することを特徴とする請求項１記載の指針照明装置。
【請求項４】
前記光導入部が前記回転軸線を基準として線対称となる断面逆Ｗ字形の箇所を有し、この箇所の外壁面に前記第１の反射面が形成されると共にその内壁面に第２の反射面が形成され、これら第１，第２の反射面の後方側に前記第３の反射面が位置することを特徴とする請求項１記載の指針照明装置。
【請求項５】
前記指示部と前記光導入部が共に透光性を有する別部品を組み合わせてなることを特徴とする請求項１記載の指針照明装置。
【請求項６】
前記光導入部が連結部材を介して前記駆動軸に連結されることを特徴とする請求項１記載の指針照明装置。
【請求項７】
前記指針の背後に表示板が配置され、前記光導入部は前記指示部と共に前記表示板の前方に位置し、その周囲が遮光性を有するカバーで覆われてなることを特徴とする請求項１記載の指針照明装置。
【発明の詳細な説明】
【０００１】
【発明の属する技術分野】
本発明は、例えば車両等の指針式計器に適用され、所定の駆動装置の駆動軸によって作動する指針の照明する指針照明装置に関する。
【０００２】
【従来の技術】
従来、この種の指針照明装置として下記特許文献１記載のものが知られている。当該文献記載の指針照明装置は、駆動軸と共に軸回り作動する透光性材料からなる指針と、この指針を発光させる複数の光源と備えており、指針には光源からの光を導入する光導入部が形成され、また光源は駆動軸を中心とするサークル状を呈するように光導入部の移動軌跡上に配置されている。そしてサークル状に配置された各光源上を光導入部が順次移動することにより、光導入部内に光源の光が導入され、指示部が線状に発光するようになっている。
【０００３】
【特許文献１】
特開平８−０４３１４５号公報
【発明が解決しようとする課題】
しかしながら、前記特許文献記載の指針照明装置では、各光源上を光導入部が順次移動することにより、指針内に光源の光を取り込む構成であるため、複数配置した光源のうち、一部の光源の光しか指針内に取り込むことができない。このため、光源光の利用効率に難があり、指針の発光輝度を高めるには限界があった。また点光源である各光源の前方を光導入部が移動する都合上、光導入部に取り込まれる光量を一定にするのが難しく、照明ムラが生じやすいという事情もあった。
【０００４】
そこで本発明は、指示部への光導入効率を向上させ、明るく照明ムラの小さい指針照明装置を提供するものである。
【０００５】
【課題を解決するための手段】
本発明は前記目的を達成するため、透光性の指示部と光導入部とを有し駆動装置の駆動軸によって軸回り作動する指針と、前記駆動軸の周囲に配置され前記光導入部を通じて前記指示部を発光させる光源とを備え、前記光導入部は前記光源からの光を受光する受光面と、この受光面から導入された光を前記駆動軸の回転軸線位置に向けて集光させる第１の反射面と、この第１の反射面と前記駆動軸との間に形成され前記第１の反射面からの光を前記回転軸線に沿う方向に反射する第２の反射面と、この第２の反射面に対向するよう前記回転軸線上に形成され前記第２の反射面からの光を前記指示部の長手方向に反射する第３の反射面とを有することを特徴とする。
【０００６】
また本発明は、前記受光面が前記回転軸線を取り巻く環状に形成され、前記第１の反射面と前記第２の反射面が前記回転軸線を取り巻く円錐形状または多面形状に形成されることを特徴とする。
【０００７】
また本発明は、前記光導入部が前記回転軸線を基準として線対称となる断面逆Ｖ字形の箇所を有し、この箇所の外壁面に前記第１の反射面が形成されると共にその内壁面に前記第２の反射面が形成され、これら第１，第２の反射面の前方側に前記第３の反射面が位置することを特徴とする。
【０００８】
また本発明は、前記光導入部が前記回転軸線を基準として線対称となる断面逆Ｗ字形の箇所を有し、この箇所の外壁面に前記第１の反射面が形成されると共にその内壁面に第２の反射面が形成され、これら第１，第２の反射面の後方側に前記第３の反射面が位置することを特徴とする。
【０００９】
また本発明は、前記指示部と前記光導入部が共に透光性を有する別部品を組み合わせてなることを特徴とする。
【００１０】
また本発明は、前記光導入部が連結部材を介して前記駆動軸に連結されることを特徴とする。
【００１１】
また本発明は、前記指針の背後に表示板が配置され、前記光導入部は前記指示部と共に前記表示板の前方に位置し、その周囲が遮光性を有するカバーで覆われてなることを特徴とする。
【００１２】
【発明の実施の形態】
図１〜図６は、本発明の第１の実施形態を示し、図１は本発明による指針照明装置の要部断面図、図２は図１に適用される指針単体を示す正面図、図３は図１の指針に適用される指示部の正面図、図４は図１の指針に適用される光導入部の正面図、図５は図４の光導入部の側面図、図６は光導入経路を示す指針の要部側面図である。
【００１３】
図１において指針式計器は、駆動軸１を前方に突設してなる駆動装置２と、この駆動装置２の前方側に位置する回路基板３と、この回路基板３の前方側に配置される筒体４と、この筒体４によって支持される表示板５と、筒体４内に配置される導光部材６と、表示板５上に位置し駆動装置２の駆動軸１によって軸回り作動する指針７と、表示板５の背後に位置して筒体４内に配置される光源Ｌとを有する。
【００１４】
駆動装置２は、ステッピングモータ式ゲージやエアコア式ゲージ等の周知のコイル型電動機からなり、駆動軸１が回路基板３を貫通するように回路基板３の背面に装着されている。
【００１５】
回路基板３は、周知の硬質プリント回路基板からなり、駆動装置２と光源Ｌに電力供給を行う図示しない回路パターンを有する。
【００１６】
筒体４は、例えば光反射率の高い白色の合成樹脂によって円筒状に形成され、その内部に駆動軸１、光源Ｌ、導光部材６の各部品を収納している。ここで光源Ｌは、例えば表面実装タイプの発光ダイオードからなり、駆動軸１の周囲であって指針７の後述する光導入部の移動軌跡に沿うように複数個、略間隔に配置され、それらの配列形態は駆動軸を中心とした円弧状を呈している。
【００１７】
表示板５は、周知の印刷表示板からなり、指針６に対応する目盛、文字、マーク等の図示しない指標部を有している。表示板５はまた駆動軸１と指針７との連結を可能とする貫通孔５１を有し、この貫通孔５１の形状は、筒体４の開口端部の内径に沿った円形であり、筒体４の開口端部よりもわずかに小さい開口径を備える。
【００１８】
導光部材６は、例えばアクリル樹脂、ポリカーボネート等の透光性合成樹脂によって、駆動軸１を取り巻くと共に駆動軸１の回転軸線Ｖａに沿って延びる円筒形に形成され、光源Ｌから放射された光を収束させて指針７の後述する光導入部に送る機能を持つ。
【００１９】
指針７は、駆動軸１に連結される連結部材７１と、表示板５の前記指標部を指示する指示部材（指示部）７２と、この指示部材７２と連結部材７１との間に位置し光源Ｌからの光を指示部材７２に導入する光導入部材（光導入部）７３と、指示部材７２の所要部を露出しつつ指示部材７２の回転基部及び光導入部材７３の周囲を覆う指針カバー（カバー）７４とを備えている。
【００２０】
連結部材７１は、例えば遮光性を有する適宜合成樹脂によって、駆動軸１に挿入結合されるボス部７１ａと、このボス部７１ａの前方より回転軸線Ｖａに対し交差する（直交する）方向に延びる円板形の台座部７１ｂとを有する断面略「Ｔ」字形に形成されている。そして台座部７１ｂには、光導入部材７２に向けて光源Ｌからの光を通過させる、この場合、貫通孔形状の透光部７１ｃが形成されている。
【００２１】
指示部材７２は、アクリル樹脂、ポリカーボネート等の透光性合成樹脂からなり、表示板５上を回転軸線Ｖａとは交差する（直交する）方向に線状（長手状）に延びる指針部７２ａと、この指針部７２ａの側方から円盤状に延びるフランジ部７２ｂ（図３参照）とを有する。
【００２２】
指針部７２ａの回転基部背後には、段部７２ｃが形成され（図６参照）、この段部７２ｃには、光導入部材７２からの光を受光する第１，第２の指針受光部７２ｄ，７２ｅが形成されている。第１の指針受光部７２ｄは、光導入部材７３の後述する照射面を通じて略回転軸線Ｖａ方向に照射される光を受光するもので、第２の指針受光部７３ｅは、光導入部材７２の後述する第１，第３の反射面を通じて前方側に透過する光を受光するもので、光源Ｌが発光すると、導光部材６及び光導入部材７２を通じて光が導入され、指針カバー７４より露出する指針部７２ａの前面が線状に光輝するようになっている。なお本実施形態では図示しないが、指針部７２ａの前面あるいは背面には、反射層や着色層が形成されている。
【００２３】
一方、フランジ部７２ｂには、指針カバー７４に形成した図示しない突起部に挿入される孔部７２ｆが形成されている。
【００２４】
光導入部材７３は、アクリル樹脂、ポリカーボネート等の透光性合成樹脂からなり、回転軸線Ｖａを基準（中心）としてこれを取り巻く略円錐形の第１の箇所（箇所）Ｐ１と、この箇所Ｐ１の頂面前方であって回転軸線Ｖａ上に位置する略半円錐形の第２の箇所Ｐ２とを備えている。
【００２５】
第１の箇所Ｐ１は、その断面形状が回転軸線Ｖａを基準として線対称となる断面略逆Ｖ字形に形成され、導光部材６を介して光源Ｌに対向し、導光部材６の出射端部から照射される光源Ｌからの光を受光する受光面７３ａと、この受光面７３ａから導入された光を回転軸線Ｖａ位置に向けて集光させる第１の反射面７３ｂと、この第１の反射面７３ｂと駆動軸１（回転軸線Ｖａ）との間に形成され第１の反射面７３ｂからの光を回転軸線Ｖａに沿う方向に反射する第２の反射面７３ｃとが形成されている。
【００２６】
そして本例の場合、受光部７３ａは、第１の箇所Ｐ１の背面側外壁面を利用して回転軸線Ｖａを取り巻く（中心軸とする）環状または円弧状に形成され、第１，第２の反射面７３ｂ，７３ｃは、逆「Ｖ」字形となる第１の箇所Ｐ１の外壁面と内壁面を利用して共に回転軸線Ｖａを取り巻く（中心軸とする）円錐面に形成され、第１の反射面７３ｂの大きさに対して第２の反射面７３ｃの大きさが小さく設定され、互いに対向している。また本実施例では第１の反射面７３ｂは、受光部７３からの光を第２の反射面７３ｃ方向に反射する際、第２の反射面７３ｃに向かう光を回転軸線Ｖａの伸長方向に対しても集光できるように外側に向けてわずかに凸となる曲面に設定され、これにより第１の反射面７３ｂは、第２の反射面７３ｃに向かう光を回転軸線Ｖａのラジアル方向及びスラスト方向において集光する機能を有している。このように第２の反射面７３ｃに向かう光を回転軸線Ｖａのスラスト方向においても集光できるよう設定することにより、光導入部材の高さ寸法を小さくすることができる。一方、第２の反射面７３ｃは、本例では断面平面形状に設定しているが、曲面に設定してもよい。
【００２７】
第２の箇所Ｐ２は、全体形状が略半円錐形で断面形状が略三角形に形成され、第２の反射面７３ｃに対向する回転軸線Ｖａ上に、第２の反射面７３ｃからの光を指示部７２（指針部７２ａ）の長手方向（回転軸線Ｖａに対し交差または直交する方向）に反射する第３の反射面７３ｄと、この第３の反射面７３ｄ及び指針部７２ａの第１の指針受光部７２ｄに対向し、第３の反射面７３ｄからの光を第１の指針受光部７２ｄを通じて指示部材７２の長手方向に導入させる照射面７３ｅが形成されている。
【００２８】
そして本例の場合、第３の反射面７３ｄは第２の箇所Ｐ２の外壁面を利用して円錐面に形成され、第１，第２の反射面７３ｂ，７３ｃの前方側に位置し、照射面７３ｅは、第３の反射面７３ｄ側に窪む凹面に形成されている。なお第１の指針受光部７２ｄは照射面７３ｅの形状に合致するよう照射面７３ｅ側に凸となる凸面に設定されている。
【００２９】
なお第１の箇所Ｐ１の外周部には、指針カバー７４の前記突起部に挿入される孔部７３ｆ（図４参照）が形成されいる。
【００３０】
指針カバー７４は、例えば黒色の遮光性合成樹脂材料からなり、指示部材７２（指針部７２ａ）の前方を露出するスリット７４ａ（図２参照）と、指示部材７２の回転基部及び光導入部材７３の周囲を覆う底壁部７４ｂ及び周壁部７４ｃを有する概略カップ形に形成されている。
【００３１】
このように構成された連結部材７１、指示部材７２、光導入部材７３、指針カバー７４は、指針カバー７４の前記突起部を、指示部材７２及び光導入部材７３の各孔部７２ｆ，７３ｆと、連結部材７１に形成した図示しない孔部に挿入して溶着することにより一体化されて指針７を構成し、駆動軸１に応じて軸回り回転して表示板５の前記指標部を指示する。
【００３２】
次に、図６に基づいて、光源Ｌが発光した場合の指針７への光導入経路を詳述するが、図６中、光源Ｌ及び導光部材６は省略しており、光線Ｌｒは、導光部材６を介して進む光源Ｌからの光である。
【００３３】
まず光線Ｌｒは、受光部７３ａを通じて光導入部材７３内に取り込まれた後、第１の反射面７３ｂによって回転軸線Ｖａ位置方向（回転軸線Ｖａの伸長方向に対し直交（交差）する方向）に向けて反射され、第２の反射面７３ｃに至る。このとき、受光部７３ａは全ての光源Ｌからの光を受光できるように設定されており、このように受光された光は、回転軸線Ｖａを取り巻く円錐形状の第１の反射面７３ｂによって反射されることにより、光導入部７３の外側から中心（回転軸線Ｖａ）付近に集光され、第２の反射面７３ｃに至る。
【００３４】
このように集光状態に第２の反射面７３ｂに至った光は、この反射面によって回転軸線Ｖａに沿う方向（回転軸線Ｖａの伸長方向）に反射され、第３の反射面７３ｄに至る。
【００３５】
このように第３の反射面７３ｄに至った光は、この反射面によって照射面７３ｅ方向（回転軸線Ｖａと直交（交差）する方向であって指示部材７２の長手方向）に反射され、照射面７３ｅから出射した光は、指針受光面７２ｄを介して指示部材７２内にその長手方向に導入され、主に指示部材７２の先側を発光させる。一方、導光部材７３に導入された光の一部は、第１，第３の反射面７３ｂ，７３ｄを透過し、指示部材７２の第２の指針受光面７２ｅから指示部材７２内に導入され、主に指示部材７２の後側を発光させ、これにより指示部材７２がとぎれることなく連続する一本の線状に発光するものである。
【００３６】
以上のように本実施形態では、透光性の指示部材（指示部）７２と光導入部材（光導入部）７３とを有し駆動装置２の駆動軸１によって軸回り作動する指針７と、駆動軸１の周囲に配置され光導入部材７３を通じて指示部材７２を発光させる光源Ｌとを備えており、光導入部材７３は光源Ｌからの光を受光する受光面７３ａと、この受光面７３ａから導入された光を駆動軸１の回転軸線Ｖａ位置に向けて集光させる第１の反射面７３ｂと、この第１の反射面７３ｂと回転軸線との間に形成され第１の反射面７３ｂからの光を回転軸線Ｖａに沿う方向に反射する第２の反射面７３ｃと、この第２の反射面７３ｃに対向するよう回転軸線Ｖａ上に形成され第２の反射面７３ｃからの光を指示部材７２の長手方向に反射する第３の反射面７３ｄとを有することにより、光源Ｌから放射される光を第１の反射面７３ｂを通じて回転軸線Ｖａ付近に一旦、集光させ、この集光した光を第２の反射面７３ｃを介して最終反射面となる第３の反射面７３ｄに送り、この第３の反射面７３ｄを介して指示部材７２に供給できるため、光源Ｌの光を最大限に活用して照明効率を向上させることができ、また指針７の回転位置が変化しても指示部材７２に採り込まれる光量を略一定にすることができるので、照明ムラを抑制することができる。
【００３７】
また本実施形態によれば、受光面７３ａが回転軸線Ｖａを基準としてこれを取り巻く環状に形成され、第１の反射面７３ｂと第２の反射面７３ｃが回転軸線Ｖａを基準としてこれを取り巻く円錐形状に形成されることにより、回転軸線Ｖａを基準に回転動作する指示部材７２を効率よく、しかも略均一に照明することができる。
【００３８】
なお本実施形態では、第１の反射面７３ｂと第２の反射面７３ｃを円錐面形状に設定したが、第１の反射面７３ｂは、受光面７３ａからの光を回転軸線Ｖａ付近に集光させることができれば、その形状は任意であり、また第２の反射面７３ｃは、第１の反射面７３ｂからの光を回転軸線Ｖａに沿う方向に反射することができれば、その形状は任意であり、例えば双方の反射面７３ｂ，７３ｃを多角錐を基本とした形状や、複数の平面もしくは曲面を規則的または不規則的に組み合わせた形状に設定してもよい。また第３の反射面７３ｄも指示部材７２の長手方向に光を反射するものであれば、形状は任意であり、本実施形態のごとく、円錐面の他、多角錐を基本とした形状や複数の平面もしくは曲面を規則的または不規則的に組み合わせた形状に設定してもよい。
【００３９】
また本実施形態によれば、光導入部材７３が回転軸線Ｖａを基準として線対称となる断面逆Ｖ字形の第１の箇所Ｐ１を有し、この第１の箇所Ｐ１の外壁面に第１の反射面７３ｂを形成すると共にその内壁面に第２の反射面７３ｃを形成し、これら第１，第２の反射面７３ｂ，７３ｃの前方側に第３の反射面７３ｄを位置させることにより、照明の高効率化と均一化を確実なものとすることができる。
【００４０】
また本実施形態では、指示部材７２と光導入部材７３が別部品を組み合わせてなることにより、成形型の作成や部品自体の成形性を容易にすることができる。
【００４１】
また本実施形態では、光導入部材７３と駆動軸１との間に指針７を駆動軸１に連結する連結部材７１が介在することにより、光導入部材７３や指示部材７２に、光導入の障害となる孔部のごとき（駆動軸１との）連結箇所を設ける必要がないため、その分、光導入効率を高めることができる。
【００４２】
また本実施形態では、指針７の背後に表示板５が配置され、光導入部材７３は指示部材７２と共に表示板５の前方に位置し、その周囲を指示部材７２の所要部を隠蔽する遮光性を有する指針カバー７２で覆ったことにより、光導入部材７３を隠蔽すべく、表示板５の背後に配置したり、専用部品によって隠蔽する必要がなく、構成の複雑化や部品増加を抑えることができる。
【００４３】
なお本実施形態では、光源Ｌを複数個配置したが、単一であっても同様の効果を期待できる。また本実施形態では受光面７３ａ、第１，第２の反射面７３ｂ，７３ｃを回転軸線Ｖａをサークル状に完全に取り巻く形状に設定したが、指針７の振れ角等を考慮して、一部が破断または例えば「Ｃ」字状に（不完全に）取り巻く形状に設定してもよい。
【００４４】
図７は本発明の第２の実施形態を示す要部正面図であり、本実施形態では、光導入部材７３と指示部材７２とが別部品ではなく、光導入部７３と指示部７２とを有する一つの部品にて構成され、光導入部７３が回転軸線Ｖａを基準として線対称となる断面逆Ｗ字形の第１の箇所（箇所）Ｐ１を有し、この第１の箇所Ｐ１の外壁面に第１の反射面７３ｂが形成されると共にその内壁面に第２の反射面７３ｃが形成され、これら第１，第２の反射面７３ｂ，７３ｃの後方側となる第２の箇所Ｐ２に第３の反射面７３ｄが位置している。
【００４５】
そして光源Ｌ１からの光は、受光部７３ａ→第１の反射面７３ｂ→第２の反射面７３ｃ→第３の反射面７３ｄ→指示部７２の経路で指針部７２に導入され、指針カバー７４の周壁部から突出する指示部７２部分のみが発光し、それ以外の部分は発光しないようになっている。
【００４６】
かかる実施形態によっても前記第１の実施形態と同様の効果を期待できる他、前記第１の実施形態と比較して部品点数を削減することができる。
【００４７】
図８は本発明の第３の実施形態を示す要部正面図であり、本実施形態では、第２の箇所Ｐ２と指示部７２との間に回転軸線Ｖａに沿って延びる第３の箇所Ｐ３を形成し、この第３の箇所Ｐ３に第３の反射面７３ｄと対向する第４の反射面７３１と、この第４の反射面７３１に対向する第５の反射面７３２を設け、これら第４，第５の反射面７３１，７３２を介して第３の反射面７３ｄからの光を指示部７２に供給するようにしている。なおこの場合、支持部７２は、第３の箇所Ｐ３とは別部品に形成され、第１の箇所Ｐ１上に配置されている。
【００４８】
かかる実施形態によっても前記第１の実施形態と同様の効果を期待できる他、指示部７２が指針カバー７４の底壁部を横断するように延びる場合に有効な構成となる。
【００４９】
【発明の効果】
以上、本発明により、初期の目的を達成することができ、指示部への光導入効率を向上させることができ、明るく照明ムラの小さい指針照明装置を提供することができる。
【図面の簡単な説明】
【図１】本発明による指針照明装置の要部断面図。
【図２】図１に適用される指針単体を示す正面図。
【図３】図１の指針に適用される指示部の正面図。
【図４】図１の指針に適用される光導入部の正面図。
【図５】図４の光導入部の側面図。
【図６】光導入経路を示す指針の要部側面図である。
【図７】本発明の第２の実施形態を示す要部正面図。
【図８】本発明の第３の実施形態を示す要部正面図
【符号の説明】
１  駆動軸
２  駆動装置
３  回路基板
４  筒体
５  表示板
６  導光部材
７  指針
７１  連結部材
７１ａ  ボス部
７１ｂ  台座部
７１ｃ  透光部
７２  指示部材（指示部）
７２ａ  指針部
７２ｂ  フランジ部
７２ｃ  段部
７２ｄ，７２ｅ  第１，第２の指針受光部
７２ｆ  孔部
７３  光導入部材（光導入部）
７３ａ  受光面
７３ｂ  第１の反射面
７３ｃ  第２の反射面
７３ｄ  第３の反射面
７３ｅ  照射面
７３ｆ  孔部
７４  指針カバー（カバー）
７４ａ  スリット
７４ｂ  底壁部
７４ｃ  周壁部
７３１  第４の反射面
７３２  第５の反射面
Ｌ  光源
Ｌｒ  光線
Ｐ１  第１の箇所（箇所）
Ｐ２  第２の箇所
Ｐ３  第３の箇所
Ｖａ  回転軸線
【図１】
2004294344.tif 000003
【図２】
2004294344.tif 000004
【図３】
2004294344.tif 000005
【図４】
2004294344.tif 000006
【図５】
2004294344.tif 000007
【図６】
2004294344.tif 000008
【図７】
2004294344.tif 000009
【図８】
2004294344.tif 000010